(57)【要約】複数のニードルディスクを皮膚の表面に接触させて穴をあけながら薬品を浸透させる皮膚管理時に使うポンプ内蔵型ニードルディスクローラ装置に関する。薬品が充填されている容器の中のポンプと複数個のニードルディスクを含むローラヘッド部を組み合わせて、ローラヘッド部の押圧操作によって薬品が上向きにポンピングされながらローラヘッド部のニードルディスク側に薬品が自然に供給されるようにした新しい形態のニードルディスクローラ装置を具現することによって、ニードルディスクに適切な一定量の薬品を普く伝達できるということはもちろん、強制ポンピング作動により残量までも残らず使用できるなど、使用が非常に便利であり、薬品の浸透効果を高めることができるだけでなく、使い捨ての薬品容器の使用により衛生的であり、薬品の損失なしに経済的に使用できるポンプ内蔵型ニードルディスクローラ装置を提供する。  【選択図】図５
2021509854.tif 000002
【特許請求の範囲】
【請求項１】
薬品が充填されており、ポンプアセンブリ（１０）が内蔵されている薬品容器（１１）と；
前記ポンプアセンブリ（１０）側と連動可能であって、上下の押圧動作により薬品が供給されて複数個のニードルディスク（２１）を利用して皮膚に穴をあけながら皮膚に薬品が浸透するようにし、ポンプアセンブリ（１０）側から供給される薬品の流れ落ちを防止し、流入した薬品が弧の形状の底面（２８）内に一定量溜まることによってニードルディスク（２１）が回転する時に薬品がニードルディスク（２１）に適正に供給されるようにする薬品支持台（１６）を有するローラヘッド部（１４）；とを含む
ことを特徴とするポンプ内蔵型ニードルディスクローラ装置。
【請求項２】
前記ローラヘッド部（１４）は薬品吐出口（１５）が形成されている薬品支持台（１６）を上端部に有し、下端部にプランジャー（１３）と連結される薬品流入口（１８）を有してローラヘッド部ボディ（１７）の内部に結合されるとともに、ローラヘッド部ボディ（１７）の内部で薬品吐出口（１５）側と通じる薬品通路（１９）を形成する内部ソケットコア（２０）を含む
請求項１に記載のポンプ内蔵型ニードルディスクローラ装置。
【請求項３】
前記ローラヘッド部（１４）のボディ（１７）の薬品支持台（１６）はニードルディスクローラ（２２）を支持するための両側の壁体（２７）を含む
請求項１に記載のポンプ内蔵型ニードルディスクローラ装置。
【請求項４】
ポンプアセンブリ（１０）が内蔵された薬品容器（１１）を収容するケース（１２）を含み、そのケース（１２）の下端部の内側縁には段差付き構造の段差部（３６）が形成され、前記薬品容器（１１）の下端部の外側縁にはフランジ（３５）が形成されて、前記ケース（１２）に薬品容器（１１）を挿入装着する時にフランジ（３５）と段差部（３６）間の係止作用によって薬品容器（１１）が定位置に装着され得るようにした
請求項１に記載のポンプ内蔵型ニードルディスクローラ装置。
【請求項５】
前記ニードルディスクローラ（２２）は複数個の環状スペーサー（２５）を含み、前記環状スペーサー（２５）の円周面には軸線方向に並んでいるとともに円周方向に一定の間隔で配置されて、ニードルディスクローラに供給された薬品が落ちずに漸進的に皮膚の表面に付着するようにして、ローリング時に効率的に使用できるようにする複数個の薬品貯蔵用溝部２６が形成される
請求項３に記載のポンプ内蔵型ニードルディスクローラ装置。
【請求項６】
前記ローラヘッド部ボディ（１７）はその下端部縁がケース（１２）の上端部に形成されている円筒状のガイド管（３０）内に挿入位置して、上下のスライド動作時に案内を受けることができるようになっている
請求項２に記載のポンプ内蔵型ニードルディスクローラ装置。
【請求項７】
前記ポンプアセンブリ（１０）が内蔵されている薬品容器（１１）はケース（１２）内に収納および引き出しが可能な構造で装着されて、薬品の消尽後にはポンプアセンブリ（１０）を含む薬品容器（１１）の全体を取り換えて使用できるようになっている
請求項１ないし６のいずれかに記載のポンプ内蔵型ニードルディスクローラ装置。
【請求項８】
上下の押圧動作時に前記ケース（１２）内の薬品容器（１１）の下向き押されを防止するための下部キャップ（３２）を含む
請求項４に記載のポンプ内蔵型ニードルディスクローラ装置。
【発明の詳細な説明】
【技術分野】
【０００１】
本発明はポンプ内蔵型ニードルディスクローラ装置に関し、さらに詳細には複数のニードルディスクを皮膚の表面に接触させて穴をあけながら皮膚美容液や薬品を浸透させる皮膚の管理時に使う、ポンプ内蔵型ニードルディスクローラ装置に関する。
【０００２】
【背景技術】
【０００３】
一般に、小ジワ、シミ、毛穴、皮膚トーンの改善、アトピーの治療、ニキビ跡、やけとの跡などの皮膚の改善のために皮膚に塗ったり処置する化粧品や薬品などは、皮膚の角質層に留まるだけであって皮膚の中までには吸収されない短所がある。
【０００４】
例えば、化粧品や薬品が皮膚に吸収される比率は０．０３〜２％に過ぎず、残りは角質や表皮に留まってから洗われて消えることになる。
【０００５】
このような点を考慮して、最近では回転する微細針（Ｍｉｃｒｏ−ｎｅｅｄｌｅ）で真皮層に穴をあけることによって薬品や化粧品の有効性分の浸透力を高め、皮膚に刺激を与えてコラーゲンの生成を助ける概念である、いわゆるＭＴＳ（Ｍｉｃｒｏ−ｎｅｅｄｌｅ  Ｔｈｅｒａｐｙ  Ｓｙｓｔｅｍ）皮膚管理法が多く利用されている趨勢である。
【０００６】
一例として、それぞれ別個となっている薬品容器とニードルローラ（Ｎｅｅｄｌｅ−Ｒｏｌｌｅｒ）を使う方式があるが、このような方式は薬品容器に入っている薬品を使用部位に先に塗った後にニードルローラでこすったり、ニードルローラに先に薬品を塗布した後にローリング（Ｒｏｌｌｉｎｇ）をする方式であるため、使用が煩雑であり、薬品を皮膚に塗ってローリングする時に薬品が均一に塗布されない不便があり、またニードルローラに直接薬品を塗布した後に使用する時には薬品が所望の部位に塗布される前に流れ落ちるなどの不都合な点がある。
【０００７】
他の例として、薬品が充填されている薬品容器の上端に微細針ローラを結合し、薬品容器と微細針ローラの間に薬品が出られる孔を形成した形態のニードルローラ装置が提示されている。
【０００８】
しかし、前記ニードルローラ装置は自然落下式の薬品供給方式であって、常に薬品部が上部に位置し、ニードルローラを下部に位置させないと作動しないため、横になって他人から施術を受けることは可能であるが、これも薬品の粘度が低いとたらたらと流れ落ちたり、粘度が高いと手の平などにぱんぱんと打って出させて使わなければならない不都合な点があり、使用者が直接使うためには顔をあげないと施術が不可能な不都合な点があるため、個人が直接使うには非常に不便であった。
【先行技術文献】
【特許文献】
【０００９】
【特許文献１】韓国登録特許１０−１６８２８６３号
【特許文献２】韓国登録特許１０−１６９５６０３号
【特許文献３】韓国登録特許１０−１７００５６３号
【特許文献４】韓国登録特許１０−１７０１０９７号
【特許文献５】韓国登録特許１０−１５７３２５２号
【特許文献６】韓国公開特許１０−２００９−００６０１１６号
【発明の概要】
【発明が解決しようとする課題】
【００１０】
したがって、本発明はこのような使用者が直接使用時の不都合な点を改善するために案出されたもので、薬品が充填されているポンプ容器を下端部にそして複数個のニードルディスクを含むローラヘッド部を上端部に位置させたにもかかわらず、使用時に薬品部が上部に位置するようにしてひっくり返して使わなければならない従来の技術を完全に改善して、使用者は誰でもこのような不便なくローラヘッド部の指タッチ部を簡単な押圧操作だけで、薬品が上部にポンピングされてローラヘッド部のニードルディスクに自然に供給されるようにして、使用者が鏡を見ながら直接使用しやすいようにしたし、また、強制ポンピング作動によってポンプ容器内に薬品が残ることなく経済的に使用ができるようにした新しい形態のニードルディスクローラ装置を具現し、使用者の便宜性はもちろん、ポンプ容器内の薬品や皮膚美容液があらかじめ定められた一定量で吐出されて、ニードルディスクローラ部に使用者が所望するだけの薬品が供給されるようにするため、より経済的、効率的に使用できるポンプ内蔵型ニードルディスクローラ装置を提供することにその目的がある。
【００１１】
【課題を解決するための手段】
【００１２】
前記目的を達成するために本発明で提供するポンプ内蔵型ニードルディスクローラ装置は次のような特徴がある。
【００１３】
前記ポンプ内蔵型ニードルディスクローラ装置は、薬品が充填されているとともにポンプアセンブリが内蔵されている薬品容器と、前記薬品容器を収容するケースと、前記ポンプアセンブリのプランジャー（Ｐｌｕｎｇｅｒ）に連動可能な構造で連結されるとともに、ケースの上端部に上下にスライド可能な構造で結合されて下向き押圧動作によるポンプアセンブリの上向きポンピング作用によって薬品が供給されるローラヘッド部と、薬品容器収容ケースの下部でスライディングされて結合されたポンプ内蔵薬品容器を上部で押圧した時に、下部へ押されて下がることを防止して固定させ、取っ手のグリップ感を適切にするものとして考案された下部キャップを含む構造で構成される。
【００１４】
特に、前記ローラヘッド部は、薬品吐出口が形成されている薬品支持台を上端部に有してケースに結合されるローラヘッド部ボディ（ｂｏｄｙ）と、薬品容器のポンププランジャーに差し込んで連結される薬品流入口を有し、ローラヘッド部ボディの内部に差し込み結合されてその内部で薬品吐出口側と連結される薬品通路を造成して薬品の供給を円滑にさせる内部ソケットコア（Ｉｎｎｅｒ  Ｓｏｃｋｅｔ  Ｃｏｒｅ）と、前記ローラヘッド部ボディの薬品支持台に回転可能な構造で結合され、複数個のニードルディスクを利用して皮膚に穴をあけるとともに皮膚に薬品が浸透するようにするニードルディスク（Ｎｅｅｄｌｅ  ｄｉｓｃ）で構成され得る。
【００１５】
ここで、前記ニードルディスクはシャフトを有するとともに、分離可能な構造でなっているボビン（ｂｏｂｂｉｎ）と、前記ボビンのシャフトに同軸構造で差し込まれて結合されるとともに互いに交互に配置される複数個の環状スペーサー（ｓｐａｃｅｒ）およびニードルディスクで構成され得る。
【００１６】
この時の前記環状スペーサー（ｓｐａｃｅｒ）の円周面には軸線方向に並んでいるとともに円周方向に一定の間隔で配置される複数個の薬品貯蔵用溝部が形成され得る。
【００１７】
また、前記ローラヘッド部の薬品支持台はローラ部を支持するための両側の壁体と、薬品を貯蔵するための凹んだ弧の形状の底面を含むことができ、これにより、薬品支持台は薬品吐出口を通じて入ってきた薬品をしばらく短期貯蔵できるようにして、薬品や皮膚美容液がローリング前に所望しない部位に流れ落ちることを防止する構造を有することができる。
【００１８】
そして、前記内部ソケットコアの薬品流入口とポンプアセンブリのプランジャーは着脱可能な差し込み構造で結合され得る一方、前記ローラヘッド部のボディはその下端部縁が外装ケースの上端部に形成されている円筒状のガイド管の内側に挿入されて位置することによって、ヘッド部本体は上下のスライド動作時に案内を受けることができるようになる。
【００１９】
好ましい実施例として、前記ポンプアセンブリが内蔵されている薬品容器は、外装ケース内に収納および引き出しが可能な構造で装着されるようにし、薬品が消尽した後にポンプアセンブリを含む薬品容器の全体を使い捨てに取り換えて使用できるようにすることによって、より衛生的で便利に使用することができる長所がある。
【発明の効果】
【００２０】
本発明で提供するポンプ内蔵型ニードルディスクローラ装置は次のような効果がある。
【００２１】
第１、ポンプが内蔵されている薬品容器に複数個のニードルディスクを含むローラヘッド部を結合させた新しいポンプおよびニードルディスクローラの組み合わせの形態を適用することによって、使用者がローラヘッド部の指タッチ部位を押圧する簡単な操作だけで、薬品容器の薬品や皮膚美容液が上向きポンピングされながらニードルディスクに適当量が普く供給されるようにすることができるなど、使用が容易であるだけでなく、薬品の浸透効果を向上させて皮膚管理の効用性を高めることができ、薬品の無駄使いを防止して経済的に使用できる効果がある。
【００２２】
第２、１回のポンピング時に定められた一定量の薬品をニードルディスクに供給できることはもちろん、１回ポンピングされた一定量の薬品をローラヘッド部側に貯蔵した状態でニードルディスク側に持続的に供給することができるため、皮膚に薬品を適切に浸透させることができるなど、皮膚の処置効果を一層向上させることができる効果がある。
【００２３】
第３、ニードルディスクおよびローラが属しているニードルディスク部と薬品を誘導するための内部コア部を分離型で製作した後にこれを組み立てる形態で結合した製作方式を採択することによって、金型を利用した製作が容易であり、製作費用を節減できるなど、全体として製作性を向上させることができる効果がある。
【００２４】
第４、ヘッドアセンブリ側とポンプが属している薬品容器側との間のワンタッチで結合する着脱式の凹凸結合構造を適用することによって、薬品容器の取り換えを容易にできるなど、初心者はもちろん誰でも便利に使用できる効果がある。
【００２５】
第５、操作や取り扱いなど、使用が非常に簡便であるため、病院や専門のスキンケアショップに行くことなく家でも誰もが容易かつ簡便に、そして効果的に直接施術（処方）できるようにすることによって、経済的、時間的な負担なく施術できるようにする効果がある。
【００２６】
第６、ケース内に収納および引き出しが可能な構造でなっているポンプアセンブリ内蔵薬品容器は使い捨てで構成して、薬品が消尽した後に薬品容器の全体を取り換えて使い捨てで使用するようにして、より衛生的でかつ便利に使用できるようにする効果がある。
【図面の簡単な説明】
【００２７】
【図１ａ】本発明の一実施例に係るポンプ内蔵型ニードルディスクローラ装置を示す斜視図。
【図１ｂ】図１ａの参考分解図。
【図２】本発明の一実施例に係るポンプ内蔵型ニードルディスクローラ装置を示す断面図。
【図３】本発明の一実施例に係るポンプ内蔵型ニードルディスクローラ装置のローラヘッド部を示す斜視図。
【図４】本発明の一実施例に係るポンプ内蔵型ニードルディスクローラ装置のローラヘッド部を示す斜視図。
【図５】本発明の一実施例に係るポンプ内蔵型ニードルディスクローラ装置のローラヘッド部を示す断面図。
【図６】本発明の一実施例に係るポンプ内蔵型ニードルディスクローラ装置のローラヘッド部を示す断面図。
【図７】本発明の一実施例に係るポンプ内蔵型ニードルディスクローラ装置の使用状態を示す断面図。
【発明を実施するための形態】
【００２８】
以下、添付した図面を参照して本発明を詳細に説明する。
【００２９】
図１ａ、図１ｂ、図２は本発明の一実施例に係るポンプ内蔵型ニードルディスクローラ装置を示す斜視図と断面図であり、図３〜図６は本発明の一実施例に係るポンプ内蔵型ニードルディスクローラ装置のローラヘッド部を示す斜視図と断面図である。
【００３０】
以下の説明において、薬品は皮膚の美容改善のために使われる液状形態の物質であって、化粧品、機能性化粧品、医薬品などを意味し、そのうち化粧品のセラム（ｓｅｒｕｍ），エッセンス（ｅｓｓｅｎｃｅ），コンセントレート（ｃｏｎｃｅｎｔｒａｔｅ），ブースター（ｂｏｏｓｔｅｒ）等のように、一定の粘度を有する濃縮粘液質化粧品類と病院・医院の皮膚科で使われるこれと類似する粘度を有する医薬品を意味する。
【００３１】
図１ａ〜図６に図示した通り、前記ポンプ内蔵型ニードルディスクローラ装置は、ポンプの動力を利用して薬品をニードルディスク側に供給する方式を採択し、かつニードルディスクが属しているローラヘッド部の構造を改善して薬品の皮膚浸透効果を向上させることによって、家庭で誰もが容易かつ簡便に使用できることはもちろん皮膚の施術（処方）効果を高めることができる構造からなっている。
【００３２】
このために、前記ポンプ内蔵型ニードルディスクローラ装置は皮膚の処置に必要な薬品を供給する手段として薬品容器１１を含む。
【００３３】
前記薬品容器１１の内部には薬品が充填されているとともにポンプアセンブリ１０が内蔵される構造で設置される。
【００３４】
ここで、前記薬品容器１１は皮膚の改善のために皮膚に塗ったり処置する公知の薬品が一定量貯蔵されている円筒状の容器であって、後述するケース１２の内部に収容される形態で設置され得る。
【００３５】
このような薬品容器１１の内部にはポンプアセンブリ１０が設置されており、このように内蔵されるポンプアセンブリ１０の薬品吐出口、すなわちプランジャー１３は薬品容器１１の上面部の中央から一定の長さ垂直に突出され得る。
【００３６】
そして、前記ポンプアセンブリ１０にあるプランジャー１３の上端部２９ａが形成されており、この時の上端部２９ａは内部ソケットコア２０の薬品流入口１８の下端部２９ｂとワンタッチで凹凸結合され得る。
【００３７】
ここで、前記ポンプアセンブリ１０は化粧品容器などに使われる公知のポンプを適用することができ、その構造や作動についての具体的な説明は省略する。
【００３８】
特に、前記ポンプアセンブリ１０が内蔵されている薬品容器１１の場合、その内部に入っている薬品を消尽した後に新しい薬品容器で取り換えて使用するようにするため、使い捨てとして使用するようにする特徴がある。
【００３９】
例えば、前記薬品容器１１はケース１２の内部に収納および引き出し可能な構造で装着され、薬品を消尽した薬品容器１１はケース１２の下端部を通じて引き出して除去した後、薬品が充填されてある新しい薬品容器１１はケース１２の下端を通じて再度収納させる方法でポンプアセンブリ１０を含む薬品容器１１の全体を取り換えて使用することができる。
【００４０】
また、前記ポンプ内蔵型ニードルディスクローラ装置は薬品容器１１を収容する手段としてケース１２を含む。
【００４１】
前記ケース１２は長い円筒状の容器であって、その内部には円筒状の薬品容器１１が挿入装着され得る。
【００４２】
すなわち、前記ケース１２の下側の開けている側に薬品容器１１を進入させて押し上げると、薬品容器１１はケース１２の内壁面にスライドしながら差し込まれ得る。
【００４３】
特に、本発明では薬品容器１１の装着と脱去作業を容易にすることができ、また正確な位置に薬品容器１１が装着され得るようにする構造を提供する。
【００４４】
このために、前記ケース１２の下端部の内側縁には段差付き構造の段差部３６が形成され、これとともに薬品容器１１の下端部の外側縁にはフランジ３５がそれぞれ形成される。
【００４５】
これにより、前記ケース１２の下側から薬品容器１１を挿入装着する時に薬品容器１１を完全に挿入すると、薬品容器１１のフランジ３５がケース１２の段差部３６内に装着されるとともに係止されることによって、薬品容器１１がそれ以上挿入されなくなり、換言すれば、それ以上上側への動きが固定されて定位置に装着され得る。
【００４６】
このように薬品容器１１がフランジ３５と段差部３６の間の係止作用によって定位置に装着されると、薬品容器１１のポンプアセンブリ１０にあるプランジャー１３とローラヘッド部１４の内部ソケットコア２０にある薬品流入口１８の中心が正確に一致することができるようになり、その結果、薬品容器１１をケース１２内に差し込む単純な操作だけで薬品容器１１を容易に取り換えて使用できる便利さがある。
【００４７】
そして、前記ケース１２の内部に装着された薬品容器１１は、ケース１２の下側に組み立てられる下部キャップ３２によりその下端部が押圧されて支持されながら定位置の装着状態を維持することができる。
【００４８】
このように、前記下部キャップ３２はケース１２の下端部にねじ締結構造で結合されてケース１２に内蔵される薬品容器１１が下方に抜けないように固定させる役割をし、また本出願の装置を使用する時に全体のグリップ（Ｇｒｉｐ）感を向上させる役割をする。
【００４９】
また、前記ポンプ内蔵型ニードルディスクローラ装置は、ポンプアセンブリ１０のポンピング作用によって薬品が供給されて使用者の皮膚に微細な穴をあけながらこれを塗る手段としてローラヘッド部１４を含む。
【００５０】
前記ローラヘッド部１４はポンプアセンブリ１０側と連動可能な構造で連結され、これによって、ローラヘッド部１４の上下の作動時にこれと連携されてポンプアセンブリ１０もポンピング作動しながら薬品容器１１の中の薬品がローラヘッド部１４側に供給され得る。
【００５１】
前記ローラヘッド部１４はニードルディスクローラ２２，薬品支持台と指タッチ部位を含み、薬品容器を連結するボディ１７，薬品の円滑な供給のためのボディの内部ソケットコア２０，このように三つの部分に分けられるが、ニードルディスクローラ２２は別途に説明することにし、ローラヘッド部ボディは円筒状の胴体部１７ａと、前記胴体部１７ａの上端部の一側から上側に一体で延長形成される中空のネック部１７ｂで構成される。
【００５２】
このようなローラヘッド部ボディ１７の胴体部１７ａはケース１２に形成されるガイド管３０の内側にスライド可能な構造で差し込まれ得る。
【００５３】
例えば、前記ローラヘッド部ボディ１７の胴体部１７ａの下端部縁はケース１２の上端部に形成されている円筒状のガイド管３０内に挿入位置し、これに伴い、使用者の指タッチ部３７を押圧する操作によるローラヘッド部１４の上下のスライド動作時に胴体部１７ａはガイド管３０内で案内を受けることができるようになり、その結果、使用者のポンピング操作によって一定量の薬品がローラヘッド部ボディの薬品吐出口１５を通じてニードルディスクローラに正確に供給されることができるようになる。
【００５４】
これとともに、前記ローラヘッド部ボディ１７のネック部１７ｂの内部は後述する薬品支持台１６の薬品吐出口１５と通じることができる。
【００５５】
そして、前記ローラヘッド部ボディ１７の上端部、すなわちネック部１７ｂの上端部には薬品吐出口１５を有して一定量の薬品を収容できる薬品支持台１６が一体に形成される。
【００５６】
特に、前記薬品支持台１６はニードルディスクローラ２２を両側で支えるための両側の壁体２７を有するとともに、この時の各壁体２７の下端側を連結し、薬品の短期貯蔵のための凹んだ弧の形状の断面を有する底面２８を含む構造で構成される。
【００５７】
ここで、前記薬品支持台１６の底面２８は円形に形成されたニードルディスクローラ２２，すなわちニードルディスク２１および環状スペーサー２５と類似する曲率を有する弧の形状で形成されるとともに、同心円上でニードルディスク２１および環状スペーサー２５の下側に配置され、このように配置される底面２８とニードルディスク２１および環状スペーサー２５の周面の間には一定のギャップ（Ｇａｐ）が形成され得る。
【００５８】
これに伴い、前記薬品支持台１６の底面２８に形成されている薬品流入口１８を通じて流入した薬品は弧の形状の底面２８内に一定量が入ることになり、このように入っている薬品は回転するニードルディスクローラ２２のニードルディスク２１および環状スペーサー２５の円周面に普く付けられ得るようになる。
【００５９】
すなわち、１回のポンピング時に底面２８内には常に一定量の薬品が残留することになってニードルディスクローラ２２側に適切に薬品が供給され得るようになる。
【００６０】
これとともに、前記弧の形状の底面２８は一定量の薬品を貯蔵する役割の他にも、ポンピング時のポンピング圧力によって噴出する薬品を自然に内側に誘導できるため薬品の噴出力を相殺できるようになり、したがって薬品が四方に飛び散るなどの無駄使いや汚染を防止することができる。
【００６１】
そして、前記薬品支持台１６の壁体２７には互いに対向する内側面にピン３３がそれぞれ突出形成されており、この時のピン３３はローラ部２２のボビン２４に形成されているピン溝３４に差し込まれてボビン２４の回転中心軸の役割をすることができる。
【００６２】
また、前記ローラヘッド部１４はポンプアセンブリ１０側からニードルディスク２１側に供給される薬品の流れを誘導する手段として内部ソケットコア２０を含む。
【００６３】
前記内部ソケットコア２０はローラヘッド部ボディ１７と類似する形態、例えば下端部が開けられて内部が空いている円筒状のコア胴体部２０ａと、前記コア胴体部２０ａの上端部の一側から上側に一体で延長形成されるコアネック部２０ｂで構成される。
【００６４】
そして、前記内部ソケットコア２０のコア胴体部２０ａには内側の中心部に垂直管の形態で形成された薬品流入口１８が一体に形成され、この時の薬品流入口１８の下端部はポンプアセンブリ１０にあるプランジャー１３の上端部と連通する構造で連結される。
【００６５】
すなわち、前記薬品流入口１８の下端部２９ｂの外周面と前記プランジャー１３の上端部２９ａの内周面がワンタッチで凹凸結合されることによって、薬品流入口１８とプランジャー１３が互いに連通しながら連結され得るようになり、その結果、プランジャー１３から吐出される薬品は薬品流入口１８に入ることができる。
【００６６】
このように、前記内部ソケットコア２０の薬品流入口１８とポンプアセンブリ１０のプランジャー１３が上端部２９ａと下端部２９ｂによって互いに凹凸結合される構造で連結されることによって、薬品容器１１の取り換え時にワンタッチ凹凸結合部である上端部２９ａと下端部２９ｂ間の連結状態を取り出したり再度差し込んで、プランジャー１３を分離したり連結する操作だけで、ポンプアセンブリ１０を有する薬品容器１１の全体を容易に取り換えることができる。
【００６７】
この時の内部ソケットコア２０のネック部１０ｂには外側面にネック部の長さ方向に沿って連続的に掘られているとともに下端区間が薬品流入口１８と通じる溝形態の薬品通路１９が形成され、このように形成される薬品通路１９はローラヘッド部ボディ１７の内部に内部ソケットコア２０の結合時に、ローラヘッド部ボディ１７の胴体部１７ａの弧の形状の内壁面とともに薬品が移動できる経路を形成することができる。
【００６８】
これに伴い、前記内部ソケットコア２０の薬品流入口１８に入ってきた薬品は、薬品通路１９を経由した後に上側に誘導された後、薬品通路１９の上端区間と通じている薬品吐出口１５を通じて薬品支持台１６側に抜け出ることができる。
【００６９】
このような内部ソケットコア２０はローラヘッド部ボディ１７の内側に結合する構造で挿入されながら結合され得る。
【００７０】
すなわち、前記内部ソケットコア２０のコアネック部２０ｂはローラヘッド部ボディ１７のネック部１７ｂに、内部ソケットコア２０のコア胴体部２０ａはローラヘッド部ボディ１７と整合するように差し込まれながら結合され得る。
【００７１】
ここで、前記内部ソケットコア２０とローラヘッド部ボディ１７間の結合時に、相互間の密着部位に溝と突起を利用した係止構造を適用して内部ソケットコア２０とローラヘッド部ボディ１７間の緊密な結合状態を確保することが好ましい。
【００７２】
このように、前記内部ソケットコア２０とローラヘッド部ボディ１７を個別的にそれぞれ成形した後に互いに組立式で結合する方式を採択することによって、金型抜きなどのような設計および製作上の困難性なしに金型を利用した製作を容易にすることができ、製作費用を節減できるなど、全体として製作性を向上させることができる。
【００７３】
また、前記ローラヘッド部ボディ１７は実質的に皮膚に穴をあけ、また、薬品を皮膚に浸透させる手段としてニードルディスクローラ２２を含む。
【００７４】
前記ニードルディスクローラ２２はローラヘッド部ボディ１７の薬品支持台１６内に位置されるとともに回転可能な構造で結合されながら複数個のニードルディスク２１を利用して皮膚に穴をあけ、また、皮膚に薬品が浸透するようにする役割をする。
【００７５】
このようなニードルディスクローラ２２は支持体の役割をするボビン２４はもちろん、複数個の環状スペーサー２５および複数個のニードルディスク２１を含む。
【００７６】
前記ボビン２４は複数の環状スペーサー２５およびニードルディスク２１をアセンブリの形態で一つに束ねる役割をし、シャフト２３を有する円形のボビン胴体部２４ａと、前記シャフト２３の終端にねじ締結される円形のボビンキャップ部２４ｂの組み合わせ型で構成される。
【００７７】
この時の前記ボビン胴体部２４ａとシャフト２３の各外側面と端部中心部には、薬品支持台１６の両側の壁体２７に形成されているピン３３が差し込まれるピン溝３４が形成され、これにより、ボビン２４は両側のピン溝３４とピン３３間の差し込み構造を通じて薬品支持台１６側に支持され得るようになり、これとともに両側のピン３３を中心軸として回転され得るようになる。
【００７８】
そして、前記ボビン胴体部２４ａのシャフト２３は多角形の軸の形態、例えば六角形の軸の形態で形成され、このような六角形の軸の形態のシャフト２３には環状スペーサー２５およびニードルディスク２１の六角形のホールの形態の中心部が差し込まれ得る。
【００７９】
他の例として、前記ボビン胴体部２４ａのシャフト２３にはシャフトの長さ方向に沿って並んでいるキー溝（図示されず）が形成され、この時のキー溝には環状スペーサー２５およびニードルディスク２１にあるキー（図示されず）が差し込まれ得る。
【００８０】
この時の前記キー溝はシャフトの円周方向に沿って一定の間隔で配置される少なくとも一対を具備することが好ましい。
【００８１】
前記ニードルディスク２１は中心孔を有し薄い金属素材からなるディスク形態のニードルであって、ディスク周面にはノコギリの歯状のニードルが複数形成されており、これで皮膚に穴をあけることができる。
【００８２】
このようなニードルディスク２１は中心孔を利用してボビン２４のシャフト２３に同軸構造で差し込まれて結合される構造で設置され、このように設置された状態でボビン２４とともに回転され得るようになる。
【００８３】
ここで、前記ニードルディスク２１の中心孔は多角形の軸形態のシャフト２３に相応する多角形のホール、例えば六角形のホールからなり、これによって、シャフト２３に結合されるニードルディスク２１はシャフト２３上で空回りしなくなる。
【００８４】
他の例として、前記ニードルディスク２１の中心孔にはシャフト２３にあるキー溝（図示されず）に相応するキー（図示されず）が形成されており、この時のキーを通じてキー溝に差し込まれるようになるため、ニードルディスク２１はシャフト２３上で空回りしなくなる。
【００８５】
前記環状スペーサー２５は中心孔を有し合成樹脂素材などからなる円板の形態であって、中心孔を利用してボビン２４のシャフト２３に同軸で差し込まれて結合される構造で設置され、このように設置された状態でボビン２４とともに回転され得るとともに、ニードルディスク２１の間に位置してニードルディスク２１間の間隔を維持できるようにする。
【００８６】
ここで、前記環状スペーサー２５の中心孔は多角形の軸形態のシャフト２３に相応する多角形のホール、例えば六角形のホールからなり、これによって、シャフト２３に結合される環状スペーサー２５はシャフト２３上で空回りしなくなる。
【００８７】
他の例として、前記環状スペーサー２５の中心孔にはシャフト２３にあるキー溝（図示されず）に相応するキー（図示されず）が形成されており、この時のキーを通じてキー溝に差し込まれるようになるため、環状スペーサー２５はシャフト２３上で空回りしなくなる。
【００８８】
特に、前記環状スペーサー２５の円周面には軸線方向に並んでいるとともに円周方向に一定の間隔で配置される複数個の薬品貯蔵用溝部２６が形成される。
【００８９】
これに伴い、前記薬品支持台１６内の薬品が環状スペーサー２５の薬品貯蔵用溝部２６内に充填されるようになり、このように薬品貯蔵用溝部２６内の薬品はその両側に位置しているニードルディスク２１側に供給され得るようになり、ニードルディスク２１に供給された薬品が落ちずに漸進的に皮膚の表面につくようにして、その結果、ニードルディスク２１により形成される皮膚の穴の中に十分な量の薬品が浸透できるようになる。
【００９０】
すなわち、前記ニードルディスク２１の間に配置されている環状スペーサー２５の薬品貯蔵用溝部２６から薬品が持続的にニードルディスク２１側に供給され得るようになることによって、ニードルディスク２１によって皮膚に穴が形成されるとともに薬品が十分に浸透できるようになる。
【００９１】
図７は、本発明の一実施例に係るポンプ内蔵型ニードルディスクローラ装置の使用状態を示す断面図である。
【００９２】
図７に図示した通り、前記ポンプ内蔵型ニードルディスクローラ装置は、ニードルディスク２１を皮膚に当てて転がしながら皮膚に穴をあけ、これと同時に皮膚の中に薬品を投入する方法で使用することができる。
【００９３】
まず、ローラヘッド部ボディ１７の指タッチ部３７を下に押圧すると、ポンプアセンブリ１０のプランジャー１３が押圧され、これと同時にポンプアセンブリ１０のポンピング作用によって薬品容器１１に入っている薬品が定められた量だけポンピングされる。
【００９４】
次に、ポンプアセンブリ１０によってポンピングされた薬品はプランジャー１３を通じて、薬品流入口１８→薬品通路１９→薬品吐出口１５を経由した後、薬品支持台１６の底面２８内に一定量が溜まる。
【００９５】
次に、薬品支持台１６の底面２８に溜まっている薬品はニードルディスクローラがローリングされることにより、ニードルディスク２１はもちろん環状スペーサー２５に付着する。
【００９６】
この状態で、ケース１２とそれに連結された下部キャップ３２を把持してニードルディスクローラ２２のニードルディスク２１を顔などの皮膚１００に当てて上下に転がすと、この時のニードルディスク２１が回転しながら皮膚１００に穴をあけ、これと同時にニードルディスク２１に付着している薬品が皮膚１００の中に浸透しながら皮膚トラブルに対する処置がなされ得る。
【００９７】
そして、ポンピングされた薬品がほとんど消尽すると、再度ポンピング操作を繰り返して薬品を供給しながら皮膚に穴をあけて皮膚の中に薬品を投入する処置を継続することができる。
【００９８】
このように、薬品の供給のための簡単なポンピング操作とニードルディスクローラを立てた状態で、ニードルディスクで皮膚に穴をあけるとともに薬品を投入する操作を通じて皮膚を管理することができるため、誰もが容易に使用することができ、病院や専門のショップに行くことなく家庭でも簡便に皮膚を管理することができ、ポンプの強制ポンピング作動で薬品容器の薬品を残らず経済的に使用することができる。
【００９９】
このように、本発明ではポンプが内蔵されている新しい形態のニードルディスクローラ装置を提供することによって、使用が非常に容易かつ簡便であるだけでなく、薬品の浸透効果を向上させて皮膚管理の満足度を高めることができることはもちろん、薬品の無駄使いを防止して経済的に使用することができ、製作性の側面でも優秀であるだけでなく使用性の側面で便宜を図ることができ、家庭でも誰もが容易に使用できるなど、費用的にも時間的にも気軽に家などで、空間的な制約なく簡便に直接施術（処方）することができる。
【符号の説明】
【０１００】
１０：ポンプアセンブリ
１１：薬品容器
１２：ケース
１３：プランジャー
１４：ローラヘッド部（ニードルディスク、ボディ、内部ソケットコア）
１５：薬品吐出口
１６：薬品支持台
１７：ボディ
１８：薬品流入口
１９：薬品通路
２０：内部ソケットコア
２１：ニードルディスク
２２：ニードルディスクローラ
２３：シャフト
２４：ボビン
２５：環状スペーサー
２６：ボディ薬品貯蔵用溝部
２７：壁体
２８：薬品支持台の底面
２９ａ、２９ｂ：ワンタッチ雄雌結合部
３０：ガイド管
３２：下部キャップ
３３：ピン
３４：ピン溝
３５：フランジ
３６：段差部
３７：指タッチ部
【図１ａ】
2021509854.tif 000003
【図１ｂ】
2021509854.tif 000004
【図２】
2021509854.tif 000005
【図３】
2021509854.tif 000006
【図４】
2021509854.tif 000007
【図５】
2021509854.tif 000008
【図６】
2021509854.tif 000009
【図７】
2021509854.tif 000010
【国際調査報告】
2021509854.tif 000011
2021509854.tif 000012
2021509854.tif 000013
2021509854.tif 000014